(57)【要約】【課題】  第１風向調節板を回動可能に支持している支持部材と、第１風向調節板とは異なる方向に風向調節を行う第２風向調節板と、の間における結露の発生を抑制することが可能な空気調和装置の室内機を提供する。【解決手段】水平フラップ３１は、水平方向Ｄ１を軸方向として回転することで、吹出口２２から吹き出される空気流れ方向を調節可能である。複数の垂直フラップ３２は、垂直方向Ｄ２を軸方向として回転することで、吹出口２２から吹き出される空気流れ方向を調節可能である。支持部材３３は、水平フラップ３１をケーシング２０に対して回動可能に支持している。複数の垂直フラップ３２には、大型垂直フラップ３２ｂと、支持部材３３との距離が最も短い場所に配置されており大型垂直フラップ３２ｂよりも小さな小型垂直フラップ３２ａとを含んでいる。【選択図】図１５
2010249465.tif 000002
【特許請求の範囲】
【請求項１】
空気調和装置の室内機（３）であって、
吸込口（２１）および吹出口（２２）を有するケーシング（２０）と、
前記ケーシング（２０）内に配置された熱交換器（５）と、
前記吸込口（２１）から前記吹出口（２２）に向かう空気流れを生じさせるファン（２５）と、
第１方向を軸方向として回転することで、前記吹出口（２２）から吹き出される空気流れ方向を調節可能な第１風向調節板（３１）と、
前記第１方向に対して実質的に垂直な第２方向を軸方向として回転することで、前記吹出口（２２）から吹き出される空気流れ方向を調節可能な第２風向調節板（３２、３２ａ、３２ｂ）を複数と、
少なくとも前記吹出口（２２）の前記第１方向両端部以外の部分において、前記第１風向調節板（３１）を前記ケーシング（２０）に対して回動可能に支持する、少なくとも１つの支持部材（３３）と、
を備え、
複数の前記第２風向調節板（３２ａ、３２ｂ）には、第３風向調節板（３２ｂ）と、前記支持部材（３３）との距離が最も短い場所に配置されており前記第３風向調節板（３２ｂ）よりも小さな第４風向調節板（３２ａ）と、が少なくとも１つずつ含まれている、
空気調和装置の室内機（３）。
【請求項２】
前記支持部材（３３）と複数の前記第２風向調節板（３２）とは、前記ケーシング（２０）の前記吹出口（２２）を通過する空気流れ方向から見た場合に、互いに重ならない位置に配置されている、
請求項１に記載の空気調和装置の室内機（３）。
【請求項３】
前記第４風向調節板（３２ａ）の前記軸と前記支持部材との最近接距離は、複数の前記第２風向調節板（３２ａ、３２ｂ）の各軸と前記支持部材（３３）との各最近接距離のなかで最も短い、
請求項１または２に記載の空気調和装置の室内機（３）。
【請求項４】
前記第４風向調節板（３２ａ）の回転駆動軌跡と前記支持部材との最近接距離は、複数の前記第２風向調節板（３２ａ、３２ｂ）の各回転駆動軌跡と前記支持部材（３３）との各最近接距離のなかで最も短い、
請求項１または２に記載の空気調和装置の室内機（３）。
【請求項５】
複数の前記第２風向調節板（３２ａ、３２ｂ）は、前記第１方向に並んで配置されており、
前記第１方向視において、前記第２風向調節板（３２ａ、３２ｂ）と前記支持部材（３３）とは、少なくとも一部が重なっている、
請求項１から４のいずれか１項に記載の空気調和装置の室内機（３）。
【請求項６】
前記支持部材（３３）は、前記吹出口（２２）を通過する空気流れ方向に広がっている板状部分を有しており、
前記板状部分の板厚方向は、前記第１方向である、
請求項５に記載の空気調和装置の室内機（３）。
【請求項７】
前記第４風向調節板（３２ａ）が回動することで前記支持部材（３３）と前記第４風向調節板（３２ａ）との最近接距離が最小となる状態では、前記第２方向から見た場合に前記支持部材（３３）と前記第４風向調節板（３２ａ）とがなす角のうち空気流れ方向の風下側の角の角度は、１０度以上９０度以下である、
請求項６に記載の空気調和装置の室内機（３）。
【請求項８】
前記第１風向調節板（３１）は、前記第１方向を回転軸方向として回転することで、前記吹出口（２２）から吹き出される空気流れ方向を上下方向に調節可能であり、
複数の前記第２風向調節板（３２ａ、３２ｂ）は、前記第２方向を回転軸方向として回転することで、前記吹出口（２２）から吹き出される空気流れ方向を左右方向に調節可能である、
請求項１から７のいずれか１項に記載の空気調和装置の室内機（３）。
【請求項９】
前記ケーシング（２０）は、前記吹出口（２２）を１つだけ有しており、
前記吹出口（２２）の長手方向が略水平方向である、
請求項１から８のいずれか１項に記載の空気調和装置の室内機（３）。
【請求項１０】
前記第４風向調節板（３２ａ）は、複数の前記第２風向調節板（３２ａ、３２ｂ）のなかで最も小さい、
請求項１から９のいずれか１項に記載の空気調和装置の室内機（３）。
【請求項１１】
天井吊り下げ型である、
請求項１から１０のいずれか１項に記載の空気調和装置の室内機（３）。
【発明の詳細な説明】
【技術分野】
【０００１】
本発明は、空気調和装置の室内機に関する。
【背景技術】
【０００２】
例えば、特許文献１（特開２００６−１３２７８９号公報）に記載されているように、調和された空気を室内空間に対して満遍なく提供するため、水平フラップおよび垂直フラップが設けられた空気調和装置の室内機が存在する。この水平フラップは上下方向に、垂直フラップは左右方向に、それぞれ風向を調節することができる。
【発明の概要】
【発明が解決しようとする課題】
【０００３】
上述のように水平フラップが設けられている空気調和装置には、水平フラップが自重等によってたわんでしまうことを抑制するために、水平フラップの長手方向における真ん中近傍等において、水平フラップを回動可能に支持する支持部材が設けられていることがある。
【０００４】
このように、水平フラップの支持部材が設けられている場合には、複数の垂直フラップと支持部材との各距離が、不均一に配置される場合がある。このような場合には、支持部材の表面全体と、支持部材に近接配置された垂直フラップの表面全体とを、満遍なく冷気にさらすことが困難になることがある。この場合には、冷気に十分にさらされていない部分で結露が生じるおそれがある。
【０００５】
本発明の課題は、第１風向調節板を回動可能に支持している支持部材と、第１風向調節板とは異なる方向に風向調節を行う第２風向調節板と、の間における結露の発生を抑制することが可能な空気調和装置の室内機を提供することにある。
【課題を解決するための手段】
【０００６】
第１発明の空気調和装置の室内機は、空気調和装置の室内機であって、ケーシング、熱交換器、ファン、第１風向調節板、複数の第２風向調節板、および、支持部材を備えている。ケーシングは、吸込口および吹出口を有している。熱交換器は、ケーシング内に配置されている。ファンは、吸込口から吹出口に向かう空気流れを生じさせる。第１風向調節板は、第１方向を軸方向として回転することで、吹出口から吹き出される空気流れ方向を調節可能である。複数の第２風向調節板は、第１方向に対して実質的に垂直な第２方向を軸方向として回転することで、吹出口から吹き出される空気流れ方向を調節可能である。支持部材は、少なくとも吹出口の第１方向両端部以外の部分において、第１風向調節板をケーシングに対して回動可能に支持しており、少なくとも１つ設けられている。複数の第２風向調節板には、第３風向調節板と、支持部材との距離が最も短い場所に配置されており第３風向調節板よりも小さな第４風向調節板と、が少なくとも１つずつ含まれている。ここで、第３風向調節板よりも第４風向調節板が小さい場合とは、例えば、第３風向調節板の表面積よりも第４風向調節板の表面積が小さい場合、第３風向調節板の体積よりも第４風向調節板の体積が小さい場合、第２方向の長さとは無関係に第３風向調節板の空気流れ方向の長さよりも第４風向調節板の空気流れ方向の長さの方が短い場合、および、空気流れ方向の長さとは無関係に第３風向調節板の第２方向の長さよりも第４風向調節板の第２方向の長さの方が短い場合等のいずれであってもよい。なお、上記支持部材は、吹出口の第１方向両端部においてもさらに回動可能に支持していてもよい。
【０００７】
一般に、調和された冷たい空気を吹出口に通過させようとすると、第４風向調節板と支持部材との間の距離が小さい場合には、この冷たい空気を第４風向調節板の表面全体および支持部材の表面全体を沿わせるように流すことが困難になる場合がある。
【０００８】
これに対して、この空気調和装置の室内機では、まず、支持部材が設けられているため、吹出口の第１方向両端部の間の部分における撓みを抑制することができている。そして、このような支持部材が設けられた場合であっても、支持部材に最も近い位置に配置されている第２風向調節板は、第３風向調節板ではなく、第３風向調節板よりも小さな第４風向調節板である。このため、支持部材とその近傍に位置している第２風向調節板との両方について、表面全体に冷たい空気を触れさせやすくなる。これにより、支持部材およびその近傍に配置されている第２風向調節板との両方について、表面全体における温度ムラを低減させることができ、結露の発生を抑制させることができる。さらに、第３風向調節板によって風向を効果的に調節することができだけでなく、第４風向調節板が設けられている部分では結露の発生を抑制させつつ、風向調節もある程度可能になる。
【０００９】
第２発明の空気調和装置の室内機は、第１発明の空気調和装置の室内機において、支持部材と複数の第２風向調節板とは、ケーシングの吹出口を通過する空気流れ方向から見た場合に、互いに重ならない位置に配置されている。
【００１０】
この空気調和装置の室内機は、支持部材と複数の第２風向調節板とが吹出口の空気通過方向視において互いに重ならない位置に配置されているため、支持部材と該支持部材に最寄りの第２風向調節板とが協同して通風抵抗を形成する場合がある。このような場合には該支持部材や最寄りの第２風向調節板の表面温度にムラが生じやすく、結露が生じるおそれがある。この空気調和装置の室内機では、このように結露が生じるおそれのある支持部材と第２風向調節板との配置構造を採用した場合であっても、支持部材に最寄りの第２風向調節板を第４風向調節板にすることで、結露の発生を抑制させることができる。
【００１１】
第３発明の空気調和装置の室内機は、第１発明または第２発明の空気調和装置の室内機において、第４風向調節板の軸と支持部材との最近接距離は、複数の第２風向調節板の各軸と支持部材との各最近接距離のなかで最も短い。
【００１２】
例えば、支持部材に対して最も近い場所に軸が配置されている第２風向調節板は、支持部材との間の空間が通風抵抗となりやすい。
【００１３】
これに対して、この空気調和装置の室内機では、このような支持部材に対して最も近い場所に支持部材が配置されている第２風向調節板として第４風向調節板を採用することで、結露の発生を抑制することができている。
【００１４】
第４発明の空気調和装置の室内機は、第１発明または第２発明の空気調和装置の室内機において、第４風向調節板の回転駆動軌跡と支持部材との最近接距離は、複数の第２風向調節板の各回転駆動軌跡と支持部材との各最近接距離のなかで最も短い。
【００１５】
例えば、駆動軌跡中に支持部材に対して最も近付く第２風向調節板は、支持部材との間の空間が通風抵抗となりやすい。
【００１６】
これに対して、この空気調和装置の室内機では、このような支持部材に対して駆動軌跡中に最も近付く第２風向調節板を第４風向調節板にすることで、結露の発生を抑制することができている。
【００１７】
第５発明の空気調和装置の室内機は、第１発明から第４発明のいずれかの空気調和装置の室内機において、複数の第２風向調節板は、第１方向に並んで配置されている。第１方向視において、第２風向調節板と支持部材とは、少なくとも一部が重なっている。
【００１８】
この空気調和装置の室内機は、第２風向調節板と支持部材とが、第１方向において重なる部分を有するように配置されているため、第１方向に対して垂直な方向成分について、装置を小型化させることができている。
【００１９】
第６発明の空気調和装置の室内機は、第５発明の空気調和装置の室内機において、支持部材は、吹出口を通過する空気流れ方向に広がっている板状部分を有している。板状部分の板厚方向は、第１方向である。
【００２０】
この空気調和装置の室内機は、支持部材は、吹出口を通過する空気流れ方向に幅を有しているため、第１風向調整板をより安定的に支持することができている。そして、このように第１風向調節板を安定的に支持する形状を採用した場合であっても、吹出口近傍での板厚方向が第１方向となっているため、支持部材自体による通風抵抗を小さく抑えることができている。
【００２１】
第７発明の空気調和装置の室内機は、第６発明の空気調和装置の室内機において、第４風向調節板が回動することで支持部材と第４風向調節板との最近接距離が最小となる状態では、第２方向から見た場合に支持部材と第４風向調節板とがなす角のうち空気流れ方向の風下側の角の角度は、１０度以上９０度以下である。
【００２２】
支持部材と第４風向調節板との最近接距離が最小となって風下側の角度が１０度以上９０度以下になる状態では、調和された冷たい空気は、主として、支持部材の風上側の表面および第４風向調節板の風上側の表面を沿うように通過する。この際、支持部材の風下側の表面や第４風向調節板の風下側の表面は、調和された冷たい空気が触れにくく、室内側から対流してくる湿潤暖気が流れ込みやすい。この場合には、支持部材の風上側表面と風下側表面とで温度が異なった状況になったり、第４風向調節板の風上側表面と風下側表面とで温度が異なった状況になりやすい。
【００２３】
これに対して、この空気調和装置の室内機では、支持部材に最寄りの第２風向調節板として第４風向調節板を採用しているため、支持部材の風上側表面と風下側表面との両方もしくは第４風向調節板の風上側および風下側の両方に調和された冷たい空気を触れさせやすくなる。これにより、支持部材や小型第２風向調節部材において風上側表面と風下側表面との温度差を小さく抑えやすくなり、結露の発生を抑制することができている。
【００２４】
第８発明の空気調和装置の室内機は、第１発明から第７発明のいずれかの空気調和装置の室内機において、第１風向調節板は、第１方向を回転軸方向として回転することで、吹出口から吹き出される空気流れ方向を上下方向に調節可能である。複数の第２風向調節板は、第２方向を回転軸方向として回転することで、吹出口から吹き出される空気流れ方向を左右方向に調節可能である。
【００２５】
この空気調和装置の室内機は、第１風向調節板によって上下方向に、複数の第２風向調節板によって左右方向に、吹き出し空気流れ方向を調節することができるため、上下および左右方向に吹き出し方向を調節することができる。
【００２６】
第９発明の空気調和装置の室内機は、第１発明から第８発明のいずれかの空気調和装置の室内機において、ケーシングは、吹出口を１つだけ有している。吹出口の長手方向が略水平方向である。
【００２７】
一般に、吹出口が１つだけである場合には、調和空気を供給できる範囲を確保するために、水平方向の長さが長くなりがちになる。このように、吹出口の水平方向の長さが長くなった場合であっても、この空気調和装置の室内機では、第１風向調節板を支持する支持部材が設けられている。これにより、第１風向調節板のたわみを抑制することができる。
【００２８】
第１０発明の空気調和装置の室内機は、第１発明から第９発明のいずれかの空気調和装置の室内機において、第４風向調節板は、複数の第２風向調節板のなかで最も小さい。
【００２９】
この空気調和装置の室内機は、第４風向調節板と支持部材との表面における結露の発生をより効果的に抑制させることができる。
【００３０】
第１１発明の空気調和装置の室内機は、第１発明から第１０発明のいずれかの空気調和装置の室内機において、室内機が天井吊り下げ型である。
【００３１】
この空気調和装置の室内機は、天井吊り下げ型であっても結露の発生を抑制させることができる。
【発明の効果】
【００３２】
第１発明の空気調和装置の室内機では、第３風向調節板によって風向を効果的に調節することができだけでなく、第４風向調節板が設けられている部分では結露の発生を抑制させつつ、風向調節もある程度可能になる。
【００３３】
第２発明の空気調和装置の室内機では、結露が生じるおそれのある支持部材と第２風向調節板との配置構造を採用した場合であっても、結露の発生を抑制させることができる。
【００３４】
第３発明の空気調和装置の室内機では、支持部材に対して最も近い場所に支持部材が配置されている第２風向調節板として第４風向調節板を採用することで、結露の発生を抑制することができている。
【００３５】
第４発明の空気調和装置の室内機では、支持部材に対して駆動軌跡中に最も近付く第２風向調節板を第４風向調節板にすることで、結露の発生を抑制することができている。
【００３６】
第５発明の空気調和装置の室内機では、第１方向に対して垂直な方向成分について、装置を小型化させることができている。
【００３７】
第６発明の空気調和装置の室内機では、支持部材自体による通風抵抗を小さく抑えることができている。
【００３８】
第７発明の空気調和装置の室内機では、支持部材や小型第２風向調節部材において風上側表面と風下側表面との温度差を小さく抑えやすくなり、結露の発生を抑制することができている。
【００３９】
第８発明の空気調和装置の室内機では、上下および左右方向に吹き出し方向を調節することができる。
【００４０】
第９発明の空気調和装置の室内機では、第１風向調節板のたわみを抑制することができる。
【００４１】
第１０発明の空気調和装置の室内機では、第４風向調節板と支持部材との表面における結露の発生をより効果的に抑制させることができる。
【００４２】
第１１発明の空気調和装置の室内機では、天井吊り下げ型であっても結露の発生を抑制させることができる。
【図面の簡単な説明】
【００４３】
【図１】本発明の一実施形態にかかる空気調和装置の室内機の側面視概略説明図である。
【図２】室内機の側面視概略配置構成図である。
【図３】室内機の上面視概略配置構成図である。
【図４】吹出口側の部分拡大概略構成図である。
【図５】室内機の正面図である。
【図６】室内機の背面図である。
【図７】ファンの詳細構成を示す図である。
【図８】フィルタの平面図である。
【図９】フィルタの断面図である。
【図１０】吹出口近傍の様子を示す正面側斜視図である。
【図１１】吹出口近傍の様子を示す正面図である。
【図１２】（ａ）図１１のａ−ａ断面から正面視左側を見た場合の様子を示す側面図である。（ｂ）図１１のｂ−ｂ断面から正面視左側を見た場合の様子を示す側面図である。（ｃ）図１１のｃ−ｃ断面から正面視左側を見た場合の様子を示す側面図である。
【図１３】垂直フラップが傾斜していない場合の室内機の内部下方の様子を示す上面図である。
【図１４】垂直フラップが傾斜している場合の室内機の内部下方の様子を示す上面図である。
【図１５】小型垂直フラップによって結露の発生を抑制する様子を示す上面図である。
【図１６】大型垂直フラップによって結露が発生する比較例の様子を示す上面図である。
【図１７】変形例（Ｂ）における室内機の下方上面図である。
【発明を実施するための形態】
【００４４】
＜１＞
＜１−１＞空気調和装置の室内機３の構成
図１は、本発明の一実施形態にかかる空気調和装置の室内機３の側面視概略構成図である。図２は、側面視における室内機３内の配置概略構成図である。図３は、上面視における室内機３内の配置概略構成図である。図４は、室内機３内の空気流れ下流側の部分拡大概略構成図である。図５は、水平フラップ３１が吹出口２２を最も塞いでいる状態の正面図である。図６は、ケーシング２０の背面図である。
【００４５】
空気調和装置の室内機３は、図示しない室外機と冷媒連絡配管を介して接続されており、室内の上方空間の側壁近傍に配置される天井吊り下げ型の室内機であって、ケーシング２０、ファン２５、熱交換器５、ドレンパン６、シール材７、シール材８、水平フラップ３１、垂直フラップ３２、支持部材３３、垂直駆動バー３９、フィルタ９０、および、制御基板７０等を備えている。
【００４６】
図１、および、図２においては、図示において右側が背面側であり、左側が正面側であり、上側が上面側であり、下側が下面側をそれぞれ示している。
【００４７】
ケーシング２０は、下面の背面側近傍において鉛直方向に開口した吸込口２１と、正面側の鉛直方向の略中央近傍からやや下側の位置に設けられ正面視において左右方向に広がった吹出口２２（図５参照等）と、を有している。なお、吸込口２１は、１つだけ設けられている。また、吹出口２２も、１つだけ設けられている。なお、吹出口２２は、正面側に１つだけ設けられており、正面視左右方向が長手方向になっている。ケーシング２０の背面は、図６に示すように、図示の左側端部近傍に設けられた樹脂製の蓋２９Ｃとが設けられている。蓋２９Ｃで塞がれた部分には、下端部分も含めて板厚方向に開いた開口が設けられている。これにより、上述したような液管２８、ガス管２９を用いることなく既設配管を用いる場合において、室内機３の据え付け時に既設配管をケーシング２０の下方から通すことができるようになっている。なお、この背面側には、図示しない板金部材がネジ止めされることで、開口が設けられているにもかかわらず構造的に強固にすることができている。
【００４８】
ファン２５は、ケーシング２０内において吸込口２１から吹出口２２に向かう空気流れを形成させることができ、図３および図７に示すように、軸を共通とする第１シロッコファン２５ａ、第２シロッコファン２５ｂ、第３シロッコファン２５ｃ、および、第４シロッコファン２５ｄと、これらの各シロッコファンに対して回転駆動させるための動力を与えるファンモータ２５Ｍを有している。ファンモータ２５Ｍは、第１シロッコファン２５ａおよび第２シロッコファン２５ｂと、第３シロッコファン２５ｃおよび第４シロッコファン２５ｄと、の間に配置されている。なお、このファン２５は、カップリングを介してファンシャフト２５Ｂを結合させ、両端の軸受で回転自在に支持している。このように、シロッコファンを左右に２つずつ均等に配置させることで、騒音を低減させることができている。
【００４９】
熱交換器５は、板厚方向が正面視左右方向となるように配置された複数の放熱フィン５１と、長手方向が正面視左右方向となるように配置されつつ複数の放熱フィン５１を貫通している複数の伝熱管５２を有している。この熱交換器５では、室外機側から冷媒連絡配管としての液管２８もしくはガス管２９を介して流入する冷媒を通過させた後、ガス管２９もしくは液管２８を介して再び室外機側に冷媒を送ることで、冷凍サイクルの１工程が行われる。この放熱フィン５１は、板厚方向に１．５ｍｍ間隔で複数枚並んで配置されている。放熱フィン５１の板厚は、０．１ｍｍである。
【００５０】
ドレンパン６は、熱交換器５の下端部分との間に鉛直方向の隙間を確保しつつ、熱交換器５の下方を覆うように配置されており、上表面を構成している空気流れ方向の下流側に配置された上方下流部分６ａと、上方下流部分６ａよりも空気流れ方向上流側であって上方下流部分６ａよりも下方において上表面を構成している下方上流部分６ｂと、を有している。なお、ドレンパン６の上表面には、上方下流部分６ａと下方上流部分６ｂとの境界に設けられた凹凸形状部分６１が設けられている。
【００５１】
シール材７は、熱交換器５の下端部分とドレンパン６の上方下流部分６ａとの間の隙間に配置されており、オプセル等と称される発泡ポリエチレンフォームによって構成されている。
【００５２】
シール材８は、熱交換器の上端部分とケーシング２０の上面の下方表面部分との間の隙間に配置されており、オプセル等と称される発泡ポリエチレンフォームによって構成されている。
【００５３】
水平フラップ３１は、ケーシング２０の吹出口２２の上方空間を覆うように配置されており、長手方向が正面視において左右方向となるように構成され、回転軸が正面視において左右方向（水平方向）に延びている。この水平フラップ３１は、回転軸３１ｍを回転中心として姿態角度が変更されることで、吹出口２２から吹き出される空気の流れ方向を上下方向に調節することができる。なお、水平フラップ３１は、吹出口２２を概ね閉じた状態であっても、水平フラップ３１と吹出口２２との間に１０ｍｍ以上（ここではおおよそ３ｃｍ）の空気流れ方向の幅を有する隙間が残るようになっている。これにより、冷房運転後の運転停止時に水平フラップ３１が吹出口２２を最も塞ぐ姿態になったとしても、室内機３のケーシング２０内とケーシング２０外との空気の流通を確保し、雑菌の繁殖を抑制させることができる。
【００５４】
垂直フラップ３２は、水平フラップ３１よりも空気流れ方向上流側、すなわち、ケーシング２０の内部側であって、吹出口２２の下端側に配置されており、回転軸３５が正面視において上下方向（鉛直方向）に延びている。この垂直フラップ３２は、回転軸３５を回転中心として姿態角度が変更されることで、吹出口２２から吹き出される空気の流れ方向を左右方向に調節することができる。垂直フラップ３２には、小型垂直フラップ３２ａと、大型垂直フラップ３２ｂと、端部垂直フラップ３２ｃと、がある。このうち、小型垂直フラップ３２ａは、支持部材３３の近くに配置されており、垂直フラップ３２の中で最も小型である。
【００５５】
支持部材３３は、ケーシング２０の吹出口２２の上端から吹出口２２の下端近傍まで延びた後、わずかに上方に向きながら空気流れ方向下流側に向けて延びており、空気流れ方向下流側先端において、回転軸３１ｍを水平フラップ３１と共有することで、水平フラップ３１を回動可能に支持している。水平フラップ３１は、正面視左右方向に長いため、その途中において支持することで、撓みを抑制させることができている。なお、支持部材３３の板厚方向は、吹出口２２の長手方向である水平方向となっており、垂直フラップ３２が傾斜していない姿態においては、垂直フラップ３２の板厚方向と支持部材３３の板厚方向とは同じになっており、空気流れに対する通風抵抗を小さく抑えることができている。
【００５６】
垂直駆動バー３９は、４つの垂直フラップ３２をひとまとめにして、姿態角度を変更させる部材であり、図示しない風向調節機構から駆動力を得て、垂直フラップ３２の姿態角度を変更させる。
【００５７】
フィルタ９０は、ケーシング２０の吸込口２１に取り付けられ、平面図である図８および側面図である図９に示すように、左右両端部に設けられた低厚部分９１と、その間に設けられた高厚部分９２とを有している。このように、フィルタ９０において凹凸高さの異なる部分を設けることで、フィルタ９０の設置位置にちょうど嵌め合わせることができている。なお、フィルタ９０の目を構成するピッチは等間隔となっている。このような構造とすることで、他の周辺部品と接触しない部分では凹凸高さを高くして、通過面積を広くすることができている。
【００５８】
制御基板７０は、上述した冷凍サイクルの制御を行ったり、水平フラップ３１の姿態角度および垂直フラップ３２の姿態角度等の自動調節制御を行う。
【００５９】
＜１−２＞吹出口２２近傍の詳細構成
図１０に、吹出口２２近傍の正面側斜視図を示す。図１１に、吹出口２２近傍の正面図を示す。図１２に、吹出口２２近傍の部分断面説明図を示す。図１３に、垂直フラップ３２が傾斜していない状態での上面図を示す。図１４に、垂直フラップ３２が傾斜している状態での上面図を示す。
【００６０】
水平フラップ３１を支持する支持部材３３は、吹出口２２を左右方向の幅を概ね３等分するように、２箇所に設けられている。
【００６１】
端部垂直フラップ３２ｃは、吹出口２２の左右両端に設けられている。この端部垂直フラップ３２ｃは、吹出口２２の左右の壁面との間の距離が短いため、結露が生じにくくなるように、小さく設計されている。
【００６２】
小型垂直フラップ３２ａは、支持部材３３によって三等分された吹出口２２内のエリアうち、真ん中のエリアを除く左右のエリアに１つずつ配置されている。左側のエリアに配置されている小型垂直フラップ３２ａは、左側エリア内の垂直フラップ３２の中で最も右寄りに配置されている。右側のエリアに配置されている小型垂直フラップ３２ａは、右側エリア内の垂直フラップ３２の中で最も左寄りに配置されている。このようにして、垂直フラップ３２の左右の対称性を確保している。ここで、正面視左側の支持部材３３と最寄りの小型垂直フラップ３２ａの回転軸３５との最近接距離は、この正面視左側の支持部材３３と他の垂直フラップ３２の回転軸３５との最近接距離のいずれの距離よりも短くなるように配置されている。また、図１４に示すように、垂直フラップ３２が姿態角度を変えた状態においても、正面視左側の支持部材３３の表面と最寄りの小型垂直フラップ３２ａの表面と最近接距離は、この正面視左側の支持部材３３の表面と他の垂直フラップ３２の表面との最近接距離のいずれの距離よりも短くなるように配置されている。
【００６３】
大型垂直フラップ３２ｂは、上述した部分以外に配置されており、４つの垂直フラップ３２が同じ動きをする１つのグループとして、左側エリアに２グループ、真ん中のエリアに２グループ、右側のエリアに２グループが、それぞれ設けられている。これらの各グループは、対応する１つの垂直駆動バー３８によってひとまとめにされており、姿態角度の変更をグループごとに行うことができるようになっている。
【００６４】
図１０、１１、１３において示すように、小型垂直フラップ３２ａ、大型垂直フラップ３２ｂ、端部垂直フラップ３２ｃ、および、支持部材３３は、正面視において、いずれも空気流れ方向に重なる部分が無いように配置されている。
【００６５】
図１２（ａ）に、図１１のａ−ａ断面から正面視左側を見た状態の側面視構成図を示す。図１２（ｂ）に、図１１のｂ−ｂ断面から正面視左側を見た状態の側面視断面図を示す。図１２（ｃ）に、図１１のｃ−ｃ断面から正面視左側を見た状態の側面視断面図を示す。
【００６６】
図１２（ａ）、（ｂ）、（ｃ）に示すように、側面視において、支持部材３３と小型垂直フラップ３２ａとは、互いに重なる部分を有するように配置されている。これにより、支持部材３３と小型垂直フラップ３２ａとを側面視において重なることがないように配置する場合と比較して、空気流れ方向における小型化を図ることができている。
【００６７】
＜１−３＞本実施形態の特徴
図１５に、図１３、図１４中に矢視Ｐで示す部分の部分拡大上面図を示す。ここで、上面視における支持部材３３の長手方向と、最寄りの垂直フラップ３２の長手方向と、のなす角度のうち小さな方の角度は７０度程度となっている。
【００６８】
なお、図１６に、図１５に対応する比較例の様子を表した上面図を示す。
【００６９】
図１６では、支持部材３３の最寄りの垂直フラップ３２が、大型垂直フラップ３２ｂとなっている場合を比較例として示している。この場合には、ファン２５によって形成された空気流れＦは、支持部材３３の右側および最寄りの大型垂直フラップ３２ｂの左側を通過して室内に吹き出される。また、支持部材３３と最寄りの大型垂直フラップ３２ｂとの風上側の隙間が小さいため、支持部材３３と最寄りの大型垂直フラップ３２ｂとの間には空気流れＦが流入しにくい。この際、冷房運転時には空気流れＦは冷たい空気を運んでいるため、支持部材３３の右側および最寄りの大型垂直フラップ３２ｂの左側が集中的に冷却される。これに対して、支持部材３３と最寄りの大型垂直フラップ３２ｂとの間の空気流れＦが流入しにくい空間には、冷房対象空間である室内側から湿った暖かい空気が流れ込み（矢視Ｈ）、支持部材３３の左側および最寄りの大型垂直フラップ３２ｂの右側においてそれぞれ冷却されて、結露が生じてしまう。
【００７０】
これに対して、上記実施形態の空気調和装置の室内機３の支持部材３３と最寄りの小型垂直フラップ３２ａとの上面視の様子を表した図１５に示すように、支持部材３３に最寄りの垂直フラップ３２として大型垂直フラップ３２ｂではなく小型垂直フラップ３２ａを採用しているため、空気流れＦのうち空気流れＦｓは、小型垂直フラップ３２ａの鉛直方向上方を通過する。このため、支持部材３３と最寄りの小型垂直フラップ３２ａとの間においても、冷房運転時の冷たい空気を供給することができる。これにより、支持部材３３および最寄りの小型垂直フラップ３２ａの表面全体を、冷たい空気流れＦ、Ｆｓによって冷却させることができ、表面温度にムラが生じにくいために結露の発生を抑制させることができ、室内側からの空気の流入を抑制させることができるという観点からも結露の発生を抑制させることができる。
【００７１】
また、支持部材３３の最寄りの垂直フラップ３２を無くしてしまうのではなく、小型垂直フラップ３２ａを設けておくことで、小型垂直フラップ３２ａが位置している部分を通過する空気流れＦｓについても、多少、左右の風向調節を行うことが可能になっている。
【００７２】
＜２＞他の実施形態
（Ａ）
上記実施形態では、空気調和装置の室内機３は、天井吊り下げタイプである場合を例に挙げて説明した。
【００７３】
しかし、本発明は、フラップを支持する支持部材の近くに、他のフラップが配置されている場合に適用することもできるため、例えば、吹出口の長手方向が鉛直方向である床置き型の空気調和装置の室内機に対して適用してもよい。この場合には、垂直フラップを支持部材で支えつつ、支持部材に最寄りの水平フラップを小型化させることになる。
【００７４】
（Ｂ）
上記実施形態では、正面視における左側の支持部材３３について、結露を抑制させる構造を採用した場合を例に挙げて説明した。
【００７５】
しかし、本発明は、これに限られるものではなく、例えば、図１７に示すように、最寄りの垂直フラップ３２が小型垂直フラップ３２ａである支持部材２３３を採用した空気調和装置の室内機２０３としてもよい。この場合には、支持部材３３と支持部材２３３のいずれの近傍においても結露の発生を抑制させることができる。
【００７６】
（Ｃ）
上記実施形態では、小型垂直フラップ３２ａが大型垂直フラップ３２ｂよりも小型である垂直フラップ３２について説明した。
【００７７】
しかし、本発明の垂直フラップ３２は、これに限られるものではなく、例えば、表面積に着目して、小型垂直フラップ３２ａの表面積が大型垂直フラップ３２ｂの表面積よりも小さく設計された垂直フラップ３２であってもよい。
【００７８】
また、体積に着目して、小型垂直フラップ３２ａの体積が大型垂直フラップ３２ｂの体積よりも小さく設計された垂直フラップ３２であってもよい。
【００７９】
また、鉛直方向の長さとは無関係に、空気流れ方向にのみ着目して、小型垂直フラップ３２ａの空気流れ方向の長さが大型垂直フラップ３２ｂの空気流れ方向の長さよりも短く設計された垂直フラップ３２であってもよい。さらに、鉛直方向の長さが同程度であって、小型垂直フラップ３２ａの空気流れ方向の長さが大型垂直フラップ３２ｂの空気流れ方向の長さよりも短く設計された垂直フラップ３２であってもよい。なお、吹出口２２のうち空気流れが弱い高さ位置について、小型垂直フラップ３２ａの空気流れ方向の長さが大型垂直フラップ３２ｂの空気流れ方向の長さよりも短く設計された垂直フラップ３２であってもよい。
【００８０】
また、空気流れ方向の長さとは無関係に、鉛直方向の長さにのみ着目して、小型垂直フラップ３２ａの鉛直方向の長さが大型垂直フラップ３２ｂの鉛直方向の長さよりも短く設計された垂直フラップ３２であってもよい。さらに、空気流れ方向の長さが同程度であって、小型垂直フラップ３２ａの鉛直方向の長さが大型垂直フラップ３２ｂの鉛直方向の長さよりも短く設計された垂直フラップ３２であってもよい。
【００８１】
＜３＞参考例
なお、上述した小型垂直フラップ３２ａの代わりに、以下の構成を有する他のフラップを配置した場合であっても、ドレン水の発生を抑制することができる。この他のフラップとは、上述した小型垂直フラップ３２ａが配置されていた位置に小型垂直フラップ３２ａの代わりに配置された場合に、同位置に代わりに上述した大型垂直フラップ３２ｂが配置された場合において該大型垂直フラップ３２ｂと支持部材３３との間で生じうるドレン水の量よりも、生じうるドレン水の量を少なくすることができるフラップをいう。このように、支持部材３３の最寄りに配置される垂直フラップ３２を他のフラップとしつつ、該他のフラップ以外の垂直フラップ３２を該他のフラップとは異なる形態のものとしてもよい。すなわち、垂直フラップ３２を、他のフラップを含む少なくとも２種類のフラップから構成させるようにしてもよい。ここでのフラップの種類は、例えば、形状、大きさ、表面処理の有無等によって分けられる。
【産業上の利用可能性】
【００８２】
本発明の空気調和装置の室内機は、例えば、水平フラップが支持部材によって回動自在に支持されている場合に、垂直フラップと支持部材との間で生じうる結露を抑制させることができるため、水平フラップが支持部材によって支持されている空気調和装置の室内機に適用した場合に特に有用である。
【符号の説明】
【００８３】
３  室内機
５  熱交換器
６  ドレンパン
２０  ケーシング
２１  吸込口
２２  吹出口
２５  シロッコファン（ファン）
３１  水平フラップ（第１風向調節板）
３２  垂直フラップ（第２風向調節板）
３２ａ  小型垂直フラップ（第４風向調節板）
３２ｂ  大型垂直フラップ（第３風向調節板）
３３  支持部材
５１  放熱フィン
５２  伝熱管
【先行技術文献】
【特許文献】
【００８４】
【特許文献１】特開２００６−１３２７８９号公報
【図１】
2010249465.tif 000003
【図２】
2010249465.tif 000004
【図３】
2010249465.tif 000005
【図４】
2010249465.tif 000006
【図５】
2010249465.tif 000007
【図６】
2010249465.tif 000008
【図７】
2010249465.tif 000009
【図８】
2010249465.tif 000010
【図９】
2010249465.tif 000011
【図１０】
2010249465.tif 000012
【図１１】
2010249465.tif 000013
【図１２】
2010249465.tif 000014
【図１３】
2010249465.tif 000015
【図１４】
2010249465.tif 000016
【図１５】
2010249465.tif 000017
【図１６】
2010249465.tif 000018
【図１７】
2010249465.tif 000019
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
空気調和装置の室内機（３）であって、
吸込口（２１）および吹出口（２２）を有するケーシング（２０）と、
前記ケーシング（２０）内に配置された熱交換器（５）と、
前記吸込口（２１）から前記吹出口（２２）に向かう空気流れを生じさせるファン（２５）と、
第１方向を軸方向として回転することで、前記吹出口（２２）から吹き出される空気流れ方向を調節可能な第１風向調節板（３１）と、
前記第１方向に対して実質的に垂直な第２方向を軸方向として回転することで、前記吹出口（２２）から吹き出される空気流れ方向を調節可能な第２風向調節板（３２、３２ａ、３２ｂ）を複数と、
少なくとも前記吹出口（２２）の前記第１方向両端部以外の部分において、前記第１風向調節板（３１）を前記ケーシング（２０）に対して回動可能に支持する、少なくとも１つの支持部材（３３）と、
を備え、
複数の前記第２風向調節板（３２ａ、３２ｂ）には、第３風向調節板（３２ｂ）と、前記支持部材（３３）との距離が最も短い場所に配置されており前記第３風向調節板（３２ｂ）よりも小さな第４風向調節板（３２ａ）と、が少なくとも１つずつ含まれており、
複数の前記第２風向調節板（３２ａ、３２ｂ）は、前記第１方向に並んで配置されており、
前記第１方向視において、前記第２風向調節板（３２ａ、３２ｂ）と前記支持部材（３３）とは、少なくとも一部が重なっており、
前記第２風向調節板（３２ａ、３２ｂ）のうちの前記第３風向調節板（３２ｂ）と前記支持部材（３３）との前記第１方向視における重なり部分の面積よりも、前記第２風向調節板（３２ａ、３２ｂ）のうちの前記第４風向調節板（３２ａ）と前記支持部材（３３）との前記第１方向視における重なり部分の面積の方が小さい、
空気調和装置の室内機（３）。
【請求項２】
前記支持部材（３３）と複数の前記第２風向調節板（３２）とは、前記ケーシング（２０）の前記吹出口（２２）を通過する空気流れ方向から見た場合に、互いに重ならない位置に配置されている、
請求項１に記載の空気調和装置の室内機（３）。
【請求項３】
前記第４風向調節板（３２ａ）の前記軸と前記支持部材との最近接距離は、複数の前記第２風向調節板（３２ａ、３２ｂ）の各軸と前記支持部材（３３）との各最近接距離のなかで最も短い、
請求項１または２に記載の空気調和装置の室内機（３）。
【請求項４】
前記第４風向調節板（３２ａ）の回転駆動軌跡と前記支持部材との最近接距離は、複数の前記第２風向調節板（３２ａ、３２ｂ）の各回転駆動軌跡と前記支持部材（３３）との各最近接距離のなかで最も短い、
請求項１または２に記載の空気調和装置の室内機（３）。
【請求項５】
前記支持部材（３３）は、前記吹出口（２２）を通過する空気流れ方向に広がっている板状部分を有しており、
前記板状部分の板厚方向は、前記第１方向である、
請求項１に記載の空気調和装置の室内機（３）。
【請求項６】
前記第４風向調節板（３２ａ）が回動することで前記支持部材（３３）と前記第４風向調節板（３２ａ）との最近接距離が最小となる状態では、前記第２方向から見た場合に前記支持部材（３３）と前記第４風向調節板（３２ａ）とがなす角のうち空気流れ方向の風下側の角の角度は、１０度以上９０度以下である、
請求項５に記載の空気調和装置の室内機（３）。
【請求項７】
前記第１風向調節板（３１）は、前記第１方向を回転軸方向として回転することで、前記吹出口（２２）から吹き出される空気流れ方向を上下方向に調節可能であり、
複数の前記第２風向調節板（３２ａ、３２ｂ）は、前記第２方向を回転軸方向として回転することで、前記吹出口（２２）から吹き出される空気流れ方向を左右方向に調節可能である、
請求項１から６のいずれか１項に記載の空気調和装置の室内機（３）。
【請求項８】
前記ケーシング（２０）は、前記吹出口（２２）を１つだけ有しており、
前記吹出口（２２）の長手方向が略水平方向である、
請求項１から７のいずれか１項に記載の空気調和装置の室内機（３）。
【請求項９】
前記第４風向調節板（３２ａ）は、複数の前記第２風向調節板（３２ａ、３２ｂ）のなかで最も小さい、
請求項１から８のいずれか１項に記載の空気調和装置の室内機（３）。
【請求項１０】
天井吊り下げ型である、
請求項１から９のいずれか１項に記載の空気調和装置の室内機（３）。
【手続補正２】
【補正対象書類名】明細書
【補正対象項目名】全文
【補正方法】変更
【補正の内容】
【発明の詳細な説明】
【技術分野】
【０００１】
本発明は、空気調和装置の室内機に関する。
【背景技術】
【０００２】
例えば、特許文献１（特開２００６−１３２７８９号公報）に記載されているように、調和された空気を室内空間に対して満遍なく提供するため、水平フラップおよび垂直フラップが設けられた空気調和装置の室内機が存在する。この水平フラップは上下方向に、垂直フラップは左右方向に、それぞれ風向を調節することができる。
【発明の概要】
【発明が解決しようとする課題】
【０００３】
上述のように水平フラップが設けられている空気調和装置には、水平フラップが自重等によってたわんでしまうことを抑制するために、水平フラップの長手方向における真ん中近傍等において、水平フラップを回動可能に支持する支持部材が設けられていることがある。
【０００４】
このように、水平フラップの支持部材が設けられている場合には、複数の垂直フラップと支持部材との各距離が、不均一に配置される場合がある。このような場合には、支持部材の表面全体と、支持部材に近接配置された垂直フラップの表面全体とを、満遍なく冷気にさらすことが困難になることがある。この場合には、冷気に十分にさらされていない部分で結露が生じるおそれがある。
【０００５】
本発明の課題は、第１風向調節板を回動可能に支持している支持部材と、第１風向調節板とは異なる方向に風向調節を行う第２風向調節板と、の間における結露の発生を抑制することが可能な空気調和装置の室内機を提供することにある。
【課題を解決するための手段】
【０００６】
第１発明の空気調和装置の室内機は、空気調和装置の室内機であって、ケーシング、熱交換器、ファン、第１風向調節板、複数の第２風向調節板、および、支持部材を備えている。ケーシングは、吸込口および吹出口を有している。熱交換器は、ケーシング内に配置されている。ファンは、吸込口から吹出口に向かう空気流れを生じさせる。第１風向調節板は、第１方向を軸方向として回転することで、吹出口から吹き出される空気流れ方向を調節可能である。複数の第２風向調節板は、第１方向に対して実質的に垂直な第２方向を軸方向として回転することで、吹出口から吹き出される空気流れ方向を調節可能である。支持部材は、少なくとも吹出口の第１方向両端部以外の部分において、第１風向調節板をケーシングに対して回動可能に支持しており、少なくとも１つ設けられている。複数の第２風向調節板には、第３風向調節板と、支持部材との距離が最も短い場所に配置されており第３風向調節板よりも小さな第４風向調節板と、が少なくとも１つずつ含まれている。複数の第２風向調節板は、第１方向に並んで配置されている。第１方向視において、第２風向調節板と支持部材とは、少なくとも一部が重なっている。第２風向調節板のうちの第３風向調節板と支持部材との第１方向視における重なり部分の面積よりも、第２風向調節板のうちの第４風向調節板と支持部材との第１方向視における重なり部分の面積の方が小さい。ここで、第３風向調節板よりも第４風向調節板が小さい場合とは、例えば、第３風向調節板の表面積よりも第４風向調節板の表面積が小さい場合、第３風向調節板の体積よりも第４風向調節板の体積が小さい場合、第２方向の長さとは無関係に第３風向調節板の空気流れ方向の長さよりも第４風向調節板の空気流れ方向の長さの方が短い場合、および、空気流れ方向の長さとは無関係に第３風向調節板の第２方向の長さよりも第４風向調節板の第２方向の長さの方が短い場合等のいずれであってもよい。なお、上記支持部材は、吹出口の第１方向両端部においてもさらに回動可能に支持していてもよい。
【０００７】
一般に、調和された冷たい空気を吹出口に通過させようとすると、第４風向調節板と支持部材との間の距離が小さい場合には、この冷たい空気を第４風向調節板の表面全体および支持部材の表面全体を沿わせるように流すことが困難になる場合がある。
【０００８】
これに対して、この空気調和装置の室内機では、まず、支持部材が設けられているため、吹出口の第１方向両端部の間の部分における撓みを抑制することができている。そして、このような支持部材が設けられた場合であっても、支持部材に最も近い位置に配置されている第２風向調節板は、第３風向調節板ではなく、第３風向調節板よりも小さな第４風向調節板である。このため、支持部材とその近傍に位置している第２風向調節板との両方について、表面全体に冷たい空気を触れさせやすくなる。これにより、支持部材およびその近傍に配置されている第２風向調節板との両方について、表面全体における温度ムラを低減させることができ、結露の発生を抑制させることができる。さらに、第３風向調節板によって風向を効果的に調節することができだけでなく、第４風向調節板が設けられている部分では結露の発生を抑制させつつ、風向調節もある程度可能になる。
【０００９】
この空気調和装置の室内機は、第２風向調節板と支持部材とが、第１方向において重なる部分を有するように配置されているため、第１方向に対して垂直な方向成分について、装置を小型化させることができている。
【００１０】
第２発明の空気調和装置の室内機は、第１発明の空気調和装置の室内機において、支持部材と複数の第２風向調節板とは、ケーシングの吹出口を通過する空気流れ方向から見た場合に、互いに重ならない位置に配置されている。
【００１１】
この空気調和装置の室内機は、支持部材と複数の第２風向調節板とが吹出口の空気通過方向視において互いに重ならない位置に配置されているため、支持部材と該支持部材に最寄りの第２風向調節板とが協同して通風抵抗を形成する場合がある。このような場合には該支持部材や最寄りの第２風向調節板の表面温度にムラが生じやすく、結露が生じるおそれがある。この空気調和装置の室内機では、このように結露が生じるおそれのある支持部材と第２風向調節板との配置構造を採用した場合であっても、支持部材に最寄りの第２風向調節板を第４風向調節板にすることで、結露の発生を抑制させることができる。
【００１２】
第３発明の空気調和装置の室内機は、第１発明または第２発明の空気調和装置の室内機において、第４風向調節板の軸と支持部材との最近接距離は、複数の第２風向調節板の各軸と支持部材との各最近接距離のなかで最も短い。
【００１３】
例えば、支持部材に対して最も近い場所に軸が配置されている第２風向調節板は、支持部材との間の空間が通風抵抗となりやすい。
【００１４】
これに対して、この空気調和装置の室内機では、このような支持部材に対して最も近い場所に支持部材が配置されている第２風向調節板として第４風向調節板を採用することで、結露の発生を抑制することができている。
【００１５】
第４発明の空気調和装置の室内機は、第１発明または第２発明の空気調和装置の室内機において、第４風向調節板の回転駆動軌跡と支持部材との最近接距離は、複数の第２風向調節板の各回転駆動軌跡と支持部材との各最近接距離のなかで最も短い。
【００１６】
例えば、駆動軌跡中に支持部材に対して最も近付く第２風向調節板は、支持部材との間の空間が通風抵抗となりやすい。
【００１７】
これに対して、この空気調和装置の室内機では、このような支持部材に対して駆動軌跡中に最も近付く第２風向調節板を第４風向調節板にすることで、結露の発生を抑制することができている。
【００１８】
第５発明の空気調和装置の室内機は、第１発明の空気調和装置の室内機において、支持部材は、吹出口を通過する空気流れ方向に広がっている板状部分を有している。板状部分の板厚方向は、第１方向である。
【００１９】
この空気調和装置の室内機は、支持部材は、吹出口を通過する空気流れ方向に幅を有しているため、第１風向調整板をより安定的に支持することができている。そして、このように第１風向調節板を安定的に支持する形状を採用した場合であっても、吹出口近傍での板厚方向が第１方向となっているため、支持部材自体による通風抵抗を小さく抑えることができている。
【００２０】
第６発明の空気調和装置の室内機は、第５発明の空気調和装置の室内機において、第４風向調節板が回動することで支持部材と第４風向調節板との最近接距離が最小となる状態では、第２方向から見た場合に支持部材と第４風向調節板とがなす角のうち空気流れ方向の風下側の角の角度は、１０度以上９０度以下である。
【００２１】
支持部材と第４風向調節板との最近接距離が最小となって風下側の角度が１０度以上９０度以下になる状態では、調和された冷たい空気は、主として、支持部材の風上側の表面および第４風向調節板の風上側の表面を沿うように通過する。この際、支持部材の風下側の表面や第４風向調節板の風下側の表面は、調和された冷たい空気が触れにくく、室内側から対流してくる湿潤暖気が流れ込みやすい。この場合には、支持部材の風上側表面と風下側表面とで温度が異なった状況になったり、第４風向調節板の風上側表面と風下側表面とで温度が異なった状況になりやすい。
【００２２】
これに対して、この空気調和装置の室内機では、支持部材に最寄りの第２風向調節板として第４風向調節板を採用しているため、支持部材の風上側表面と風下側表面との両方もしくは第４風向調節板の風上側および風下側の両方に調和された冷たい空気を触れさせやすくなる。これにより、支持部材や小型第２風向調節部材において風上側表面と風下側表面との温度差を小さく抑えやすくなり、結露の発生を抑制することができている。
【００２３】
第７発明の空気調和装置の室内機は、第１発明から第６発明のいずれかの空気調和装置の室内機において、第１風向調節板は、第１方向を回転軸方向として回転することで、吹出口から吹き出される空気流れ方向を上下方向に調節可能である。複数の第２風向調節板は、第２方向を回転軸方向として回転することで、吹出口から吹き出される空気流れ方向を左右方向に調節可能である。
【００２４】
この空気調和装置の室内機は、第１風向調節板によって上下方向に、複数の第２風向調節板によって左右方向に、吹き出し空気流れ方向を調節することができるため、上下および左右方向に吹き出し方向を調節することができる。
【００２５】
第８発明の空気調和装置の室内機は、第１発明から第７発明のいずれかの空気調和装置の室内機において、ケーシングは、吹出口を１つだけ有している。吹出口の長手方向が略水平方向である。
【００２６】
一般に、吹出口が１つだけである場合には、調和空気を供給できる範囲を確保するために、水平方向の長さが長くなりがちになる。このように、吹出口の水平方向の長さが長くなった場合であっても、この空気調和装置の室内機では、第１風向調節板を支持する支持部材が設けられている。これにより、第１風向調節板のたわみを抑制することができる。
【００２７】
第９発明の空気調和装置の室内機は、第１発明から第８発明のいずれかの空気調和装置の室内機において、第４風向調節板は、複数の第２風向調節板のなかで最も小さい。
【００２８】
この空気調和装置の室内機は、第４風向調節板と支持部材との表面における結露の発生をより効果的に抑制させることができる。
【００２９】
第１０発明の空気調和装置の室内機は、第１発明から第９発明のいずれかの空気調和装置の室内機において、室内機が天井吊り下げ型である。
【００３０】
この空気調和装置の室内機は、天井吊り下げ型であっても結露の発生を抑制させることができる。
【発明の効果】
【００３１】
第１発明の空気調和装置の室内機では、第３風向調節板によって風向を効果的に調節することができだけでなく、第４風向調節板が設けられている部分では結露の発生を抑制させつつ、風向調節もある程度可能になり、第１方向に対して垂直な方向成分について、装置を小型化させることができている。
【００３２】
第２発明の空気調和装置の室内機では、結露が生じるおそれのある支持部材と第２風向調節板との配置構造を採用した場合であっても、結露の発生を抑制させることができる。
【００３３】
第３発明の空気調和装置の室内機では、支持部材に対して最も近い場所に支持部材が配置されている第２風向調節板として第４風向調節板を採用することで、結露の発生を抑制することができている。
【００３４】
第４発明の空気調和装置の室内機では、支持部材に対して駆動軌跡中に最も近付く第２風向調節板を第４風向調節板にすることで、結露の発生を抑制することができている。
【００３５】
第５発明の空気調和装置の室内機では、支持部材自体による通風抵抗を小さく抑えることができている。
【００３６】
第６発明の空気調和装置の室内機では、支持部材や小型第２風向調節部材において風上側表面と風下側表面との温度差を小さく抑えやすくなり、結露の発生を抑制することができている。
【００３７】
第７発明の空気調和装置の室内機では、上下および左右方向に吹き出し方向を調節することができる。
【００３８】
第８発明の空気調和装置の室内機では、第１風向調節板のたわみを抑制することができる。
【００３９】
第９発明の空気調和装置の室内機では、第４風向調節板と支持部材との表面における結露の発生をより効果的に抑制させることができる。
【００４０】
第１０発明の空気調和装置の室内機では、天井吊り下げ型であっても結露の発生を抑制させることができる。
【図面の簡単な説明】
【００４１】
【図１】本発明の一実施形態にかかる空気調和装置の室内機の側面視概略説明図である。
【図２】室内機の側面視概略配置構成図である。
【図３】室内機の上面視概略配置構成図である。
【図４】吹出口側の部分拡大概略構成図である。
【図５】室内機の正面図である。
【図６】室内機の背面図である。
【図７】ファンの詳細構成を示す図である。
【図８】フィルタの平面図である。
【図９】フィルタの断面図である。
【図１０】吹出口近傍の様子を示す正面側斜視図である。
【図１１】吹出口近傍の様子を示す正面図である。
【図１２】（ａ）図１１のａ−ａ断面から正面視左側を見た場合の様子を示す側面図である。          （ｂ）図１１のｂ−ｂ断面から正面視左側を見た場合の様子を示す側面図である。          （ｃ）図１１のｃ−ｃ断面から正面視左側を見た場合の様子を示す側面図である。
【図１３】垂直フラップが傾斜していない場合の室内機の内部下方の様子を示す上面図である。
【図１４】垂直フラップが傾斜している場合の室内機の内部下方の様子を示す上面図である。
【図１５】小型垂直フラップによって結露の発生を抑制する様子を示す上面図である。
【図１６】大型垂直フラップによって結露が発生する比較例の様子を示す上面図である。
【図１７】変形例（Ｂ）における室内機の下方上面図である。
【発明を実施するための形態】
【００４２】
＜１＞
＜１−１＞空気調和装置の室内機３の構成
図１は、本発明の一実施形態にかかる空気調和装置の室内機３の側面視概略構成図である。図２は、側面視における室内機３内の配置概略構成図である。図３は、上面視における室内機３内の配置概略構成図である。図４は、室内機３内の空気流れ下流側の部分拡大概略構成図である。図５は、水平フラップ３１が吹出口２２を最も塞いでいる状態の正面図である。図６は、ケーシング２０の背面図である。
【００４３】
空気調和装置の室内機３は、図示しない室外機と冷媒連絡配管を介して接続されており、室内の上方空間の側壁近傍に配置される天井吊り下げ型の室内機であって、ケーシング２０、ファン２５、熱交換器５、ドレンパン６、シール材７、シール材８、水平フラップ３１、垂直フラップ３２、支持部材３３、垂直駆動バー３９、フィルタ９０、および、制御基板７０等を備えている。
【００４４】
図１、および、図２においては、図示において右側が背面側であり、左側が正面側であり、上側が上面側であり、下側が下面側をそれぞれ示している。
【００４５】
ケーシング２０は、下面の背面側近傍において鉛直方向に開口した吸込口２１と、正面側の鉛直方向の略中央近傍からやや下側の位置に設けられ正面視において左右方向に広がった吹出口２２（図５参照等）と、を有している。なお、吸込口２１は、１つだけ設けられている。また、吹出口２２も、１つだけ設けられている。なお、吹出口２２は、正面側に１つだけ設けられており、正面視左右方向が長手方向になっている。ケーシング２０の背面は、図６に示すように、図示の左側端部近傍に設けられた樹脂製の蓋２９Ｃとが設けられている。蓋２９Ｃで塞がれた部分には、下端部分も含めて板厚方向に開いた開口が設けられている。これにより、上述したような液管２８、ガス管２９を用いることなく既設配管を用いる場合において、室内機３の据え付け時に既設配管をケーシング２０の下方から通すことができるようになっている。なお、この背面側には、図示しない板金部材がネジ止めされることで、開口が設けられているにもかかわらず構造的に強固にすることができている。
【００４６】
ファン２５は、ケーシング２０内において吸込口２１から吹出口２２に向かう空気流れを形成させることができ、図３および図７に示すように、軸を共通とする第１シロッコファン２５ａ、第２シロッコファン２５ｂ、第３シロッコファン２５ｃ、および、第４シロッコファン２５ｄと、これらの各シロッコファンに対して回転駆動させるための動力を与えるファンモータ２５Ｍを有している。ファンモータ２５Ｍは、第１シロッコファン２５ａおよび第２シロッコファン２５ｂと、第３シロッコファン２５ｃおよび第４シロッコファン２５ｄと、の間に配置されている。なお、このファン２５は、カップリングを介してファンシャフト２５Ｂを結合させ、両端の軸受で回転自在に支持している。このように、シロッコファンを左右に２つずつ均等に配置させることで、騒音を低減させることができている。
【００４７】
熱交換器５は、板厚方向が正面視左右方向となるように配置された複数の放熱フィン５１と、長手方向が正面視左右方向となるように配置されつつ複数の放熱フィン５１を貫通している複数の伝熱管５２を有している。この熱交換器５では、室外機側から冷媒連絡配管としての液管２８もしくはガス管２９を介して流入する冷媒を通過させた後、ガス管２９もしくは液管２８を介して再び室外機側に冷媒を送ることで、冷凍サイクルの１工程が行われる。この放熱フィン５１は、板厚方向に１．５ｍｍ間隔で複数枚並んで配置されている。放熱フィン５１の板厚は、０．１ｍｍである。
【００４８】
ドレンパン６は、熱交換器５の下端部分との間に鉛直方向の隙間を確保しつつ、熱交換器５の下方を覆うように配置されており、上表面を構成している空気流れ方向の下流側に配置された上方下流部分６ａと、上方下流部分６ａよりも空気流れ方向上流側であって上方下流部分６ａよりも下方において上表面を構成している下方上流部分６ｂと、を有している。なお、ドレンパン６の上表面には、上方下流部分６ａと下方上流部分６ｂとの境界に設けられた凹凸形状部分６１が設けられている。
【００４９】
シール材７は、熱交換器５の下端部分とドレンパン６の上方下流部分６ａとの間の隙間に配置されており、オプセル等と称される発泡ポリエチレンフォームによって構成されている。
【００５０】
シール材８は、熱交換器の上端部分とケーシング２０の上面の下方表面部分との間の隙間に配置されており、オプセル等と称される発泡ポリエチレンフォームによって構成されている。
【００５１】
水平フラップ３１は、ケーシング２０の吹出口２２の上方空間を覆うように配置されており、長手方向が正面視において左右方向となるように構成され、回転軸が正面視において左右方向（水平方向）に延びている。この水平フラップ３１は、回転軸３１ｍを回転中心として姿態角度が変更されることで、吹出口２２から吹き出される空気の流れ方向を上下方向に調節することができる。なお、水平フラップ３１は、吹出口２２を概ね閉じた状態であっても、水平フラップ３１と吹出口２２との間に１０ｍｍ以上（ここではおおよそ３ｃｍ）の空気流れ方向の幅を有する隙間が残るようになっている。これにより、冷房運転後の運転停止時に水平フラップ３１が吹出口２２を最も塞ぐ姿態になったとしても、室内機３のケーシング２０内とケーシング２０外との空気の流通を確保し、雑菌の繁殖を抑制させることができる。
【００５２】
垂直フラップ３２は、水平フラップ３１よりも空気流れ方向上流側、すなわち、ケーシング２０の内部側であって、吹出口２２の下端側に配置されており、回転軸３５が正面視において上下方向（鉛直方向）に延びている。この垂直フラップ３２は、回転軸３５を回転中心として姿態角度が変更されることで、吹出口２２から吹き出される空気の流れ方向を左右方向に調節することができる。垂直フラップ３２には、小型垂直フラップ３２ａと、大型垂直フラップ３２ｂと、端部垂直フラップ３２ｃと、がある。このうち、小型垂直フラップ３２ａは、支持部材３３の近くに配置されており、垂直フラップ３２の中で最も小型である。
【００５３】
支持部材３３は、ケーシング２０の吹出口２２の上端から吹出口２２の下端近傍まで延びた後、わずかに上方に向きながら空気流れ方向下流側に向けて延びており、空気流れ方向下流側先端において、回転軸３１ｍを水平フラップ３１と共有することで、水平フラップ３１を回動可能に支持している。水平フラップ３１は、正面視左右方向に長いため、その途中において支持することで、撓みを抑制させることができている。なお、支持部材３３の板厚方向は、吹出口２２の長手方向である水平方向となっており、垂直フラップ３２が傾斜していない姿態においては、垂直フラップ３２の板厚方向と支持部材３３の板厚方向とは同じになっており、空気流れに対する通風抵抗を小さく抑えることができている。
【００５４】
垂直駆動バー３９は、４つの垂直フラップ３２をひとまとめにして、姿態角度を変更させる部材であり、図示しない風向調節機構から駆動力を得て、垂直フラップ３２の姿態角度を変更させる。
【００５５】
フィルタ９０は、ケーシング２０の吸込口２１に取り付けられ、平面図である図８および側面図である図９に示すように、左右両端部に設けられた低厚部分９１と、その間に設けられた高厚部分９２とを有している。このように、フィルタ９０において凹凸高さの異なる部分を設けることで、フィルタ９０の設置位置にちょうど嵌め合わせることができている。なお、フィルタ９０の目を構成するピッチは等間隔となっている。このような構造とすることで、他の周辺部品と接触しない部分では凹凸高さを高くして、通過面積を広くすることができている。
【００５６】
制御基板７０は、上述した冷凍サイクルの制御を行ったり、水平フラップ３１の姿態角度および垂直フラップ３２の姿態角度等の自動調節制御を行う。
【００５７】
＜１−２＞吹出口２２近傍の詳細構成
図１０に、吹出口２２近傍の正面側斜視図を示す。図１１に、吹出口２２近傍の正面図を示す。図１２に、吹出口２２近傍の部分断面説明図を示す。図１３に、垂直フラップ３２が傾斜していない状態での上面図を示す。図１４に、垂直フラップ３２が傾斜している状態での上面図を示す。
【００５８】
水平フラップ３１を支持する支持部材３３は、吹出口２２を左右方向の幅を概ね３等分するように、２箇所に設けられている。
【００５９】
端部垂直フラップ３２ｃは、吹出口２２の左右両端に設けられている。この端部垂直フラップ３２ｃは、吹出口２２の左右の壁面との間の距離が短いため、結露が生じにくくなるように、小さく設計されている。
【００６０】
小型垂直フラップ３２ａは、支持部材３３によって三等分された吹出口２２内のエリアうち、真ん中のエリアを除く左右のエリアに１つずつ配置されている。左側のエリアに配置されている小型垂直フラップ３２ａは、左側エリア内の垂直フラップ３２の中で最も右寄りに配置されている。右側のエリアに配置されている小型垂直フラップ３２ａは、右側エリア内の垂直フラップ３２の中で最も左寄りに配置されている。このようにして、垂直フラップ３２の左右の対称性を確保している。ここで、正面視左側の支持部材３３と最寄りの小型垂直フラップ３２ａの回転軸３５との最近接距離は、この正面視左側の支持部材３３と他の垂直フラップ３２の回転軸３５との最近接距離のいずれの距離よりも短くなるように配置されている。また、図１４に示すように、垂直フラップ３２が姿態角度を変えた状態においても、正面視左側の支持部材３３の表面と最寄りの小型垂直フラップ３２ａの表面と最近接距離は、この正面視左側の支持部材３３の表面と他の垂直フラップ３２の表面との最近接距離のいずれの距離よりも短くなるように配置されている。
【００６１】
大型垂直フラップ３２ｂは、上述した部分以外に配置されており、４つの垂直フラップ３２が同じ動きをする１つのグループとして、左側エリアに２グループ、真ん中のエリアに２グループ、右側のエリアに２グループが、それぞれ設けられている。これらの各グループは、対応する１つの垂直駆動バー３８によってひとまとめにされており、姿態角度の変更をグループごとに行うことができるようになっている。
【００６２】
図１０、１１、１３において示すように、小型垂直フラップ３２ａ、大型垂直フラップ３２ｂ、端部垂直フラップ３２ｃ、および、支持部材３３は、正面視において、いずれも空気流れ方向に重なる部分が無いように配置されている。
【００６３】
図１２（ａ）に、図１１のａ−ａ断面から正面視左側を見た状態の側面視構成図を示す。図１２（ｂ）に、図１１のｂ−ｂ断面から正面視左側を見た状態の側面視断面図を示す。図１２（ｃ）に、図１１のｃ−ｃ断面から正面視左側を見た状態の側面視断面図を示す。
【００６４】
図１２（ａ）、（ｂ）、（ｃ）に示すように、側面視において、支持部材３３と小型垂直フラップ３２ａとは、互いに重なる部分を有するように配置されている。これにより、支持部材３３と小型垂直フラップ３２ａとを側面視において重なることがないように配置する場合と比較して、空気流れ方向における小型化を図ることができている。
【００６５】
＜１−３＞本実施形態の特徴
図１５に、図１３、図１４中に矢視Ｐで示す部分の部分拡大上面図を示す。ここで、上面視における支持部材３３の長手方向と、最寄りの垂直フラップ３２の長手方向と、のなす角度のうち小さな方の角度は７０度程度となっている。
【００６６】
なお、図１６に、図１５に対応する比較例の様子を表した上面図を示す。
【００６７】
図１６では、支持部材３３の最寄りの垂直フラップ３２が、大型垂直フラップ３２ｂとなっている場合を比較例として示している。この場合には、ファン２５によって形成された空気流れＦは、支持部材３３の右側および最寄りの大型垂直フラップ３２ｂの左側を通過して室内に吹き出される。また、支持部材３３と最寄りの大型垂直フラップ３２ｂとの風上側の隙間が小さいため、支持部材３３と最寄りの大型垂直フラップ３２ｂとの間には空気流れＦが流入しにくい。この際、冷房運転時には空気流れＦは冷たい空気を運んでいるため、支持部材３３の右側および最寄りの大型垂直フラップ３２ｂの左側が集中的に冷却される。これに対して、支持部材３３と最寄りの大型垂直フラップ３２ｂとの間の空気流れＦが流入しにくい空間には、冷房対象空間である室内側から湿った暖かい空気が流れ込み（矢視Ｈ）、支持部材３３の左側および最寄りの大型垂直フラップ３２ｂの右側においてそれぞれ冷却されて、結露が生じてしまう。
【００６８】
これに対して、上記実施形態の空気調和装置の室内機３の支持部材３３と最寄りの小型垂直フラップ３２ａとの上面視の様子を表した図１５に示すように、支持部材３３に最寄りの垂直フラップ３２として大型垂直フラップ３２ｂではなく小型垂直フラップ３２ａを採用しているため、空気流れＦのうち空気流れＦｓは、小型垂直フラップ３２ａの鉛直方向上方を通過する。このため、支持部材３３と最寄りの小型垂直フラップ３２ａとの間においても、冷房運転時の冷たい空気を供給することができる。これにより、支持部材３３および最寄りの小型垂直フラップ３２ａの表面全体を、冷たい空気流れＦ、Ｆｓによって冷却させることができ、表面温度にムラが生じにくいために結露の発生を抑制させることができ、室内側からの空気の流入を抑制させることができるという観点からも結露の発生を抑制させることができる。
【００６９】
また、支持部材３３の最寄りの垂直フラップ３２を無くしてしまうのではなく、小型垂直フラップ３２ａを設けておくことで、小型垂直フラップ３２ａが位置している部分を通過する空気流れＦｓについても、多少、左右の風向調節を行うことが可能になっている。
【００７０】
＜２＞他の実施形態
（Ａ）
上記実施形態では、空気調和装置の室内機３は、天井吊り下げタイプである場合を例に挙げて説明した。
【００７１】
しかし、本発明は、フラップを支持する支持部材の近くに、他のフラップが配置されている場合に適用することもできるため、例えば、吹出口の長手方向が鉛直方向である床置き型の空気調和装置の室内機に対して適用してもよい。この場合には、垂直フラップを支持部材で支えつつ、支持部材に最寄りの水平フラップを小型化させることになる。
【００７２】
（Ｂ）
上記実施形態では、正面視における左側の支持部材３３について、結露を抑制させる構造を採用した場合を例に挙げて説明した。
【００７３】
しかし、本発明は、これに限られるものではなく、例えば、図１７に示すように、最寄りの垂直フラップ３２が小型垂直フラップ３２ａである支持部材２３３を採用した空気調和装置の室内機２０３としてもよい。この場合には、支持部材３３と支持部材２３３のいずれの近傍においても結露の発生を抑制させることができる。
【００７４】
（Ｃ）
上記実施形態では、小型垂直フラップ３２ａが大型垂直フラップ３２ｂよりも小型である垂直フラップ３２について説明した。
【００７５】
しかし、本発明の垂直フラップ３２は、これに限られるものではなく、例えば、表面積に着目して、小型垂直フラップ３２ａの表面積が大型垂直フラップ３２ｂの表面積よりも小さく設計された垂直フラップ３２であってもよい。
【００７６】
また、体積に着目して、小型垂直フラップ３２ａの体積が大型垂直フラップ３２ｂの体積よりも小さく設計された垂直フラップ３２であってもよい。
【００７７】
また、鉛直方向の長さとは無関係に、空気流れ方向にのみ着目して、小型垂直フラップ３２ａの空気流れ方向の長さが大型垂直フラップ３２ｂの空気流れ方向の長さよりも短く設計された垂直フラップ３２であってもよい。さらに、鉛直方向の長さが同程度であって、小型垂直フラップ３２ａの空気流れ方向の長さが大型垂直フラップ３２ｂの空気流れ方向の長さよりも短く設計された垂直フラップ３２であってもよい。なお、吹出口２２のうち空気流れが弱い高さ位置について、小型垂直フラップ３２ａの空気流れ方向の長さが大型垂直フラップ３２ｂの空気流れ方向の長さよりも短く設計された垂直フラップ３２であってもよい。
【００７８】
また、空気流れ方向の長さとは無関係に、鉛直方向の長さにのみ着目して、小型垂直フラップ３２ａの鉛直方向の長さが大型垂直フラップ３２ｂの鉛直方向の長さよりも短く設計された垂直フラップ３２であってもよい。さらに、空気流れ方向の長さが同程度であって、小型垂直フラップ３２ａの鉛直方向の長さが大型垂直フラップ３２ｂの鉛直方向の長さよりも短く設計された垂直フラップ３２であってもよい。
【００７９】
＜３＞参考例
なお、上述した小型垂直フラップ３２ａの代わりに、以下の構成を有する他のフラップを配置した場合であっても、ドレン水の発生を抑制することができる。この他のフラップとは、上述した小型垂直フラップ３２ａが配置されていた位置に小型垂直フラップ３２ａの代わりに配置された場合に、同位置に代わりに上述した大型垂直フラップ３２ｂが配置された場合において該大型垂直フラップ３２ｂと支持部材３３との間で生じうるドレン水の量よりも、生じうるドレン水の量を少なくすることができるフラップをいう。このように、支持部材３３の最寄りに配置される垂直フラップ３２を他のフラップとしつつ、該他のフラップ以外の垂直フラップ３２を該他のフラップとは異なる形態のものとしてもよい。すなわち、垂直フラップ３２を、他のフラップを含む少なくとも２種類のフラップから構成させるようにしてもよい。ここでのフラップの種類は、例えば、形状、大きさ、表面処理の有無等によって分けられる。
【産業上の利用可能性】
【００８０】
本発明の空気調和装置の室内機は、例えば、水平フラップが支持部材によって回動自在に支持されている場合に、垂直フラップと支持部材との間で生じうる結露を抑制させることができるため、水平フラップが支持部材によって支持されている空気調和装置の室内機に適用した場合に特に有用である。
【符号の説明】
【００８１】
３  室内機
５  熱交換器
６  ドレンパン
２０  ケーシング
２１  吸込口
２２  吹出口
２５  シロッコファン（ファン）
３１  水平フラップ（第１風向調節板）
３２  垂直フラップ（第２風向調節板）
３２ａ  小型垂直フラップ（第４風向調節板）
３２ｂ  大型垂直フラップ（第３風向調節板）
３３  支持部材
５１  放熱フィン
５２  伝熱管
【先行技術文献】
【特許文献】
【００８２】
【特許文献１】特開２００６−１３２７８９号公報